(57)【特許請求の範囲】
【請求項１】
トリガーＤ操作により容器体内の液を先端のノズルより噴霧する如く構成したトリガー式噴霧器であって、本体Ａ内より蓄圧弁を介してノズルＢの噴出口25の裏面位置周囲に配置されたスピン機構28に至り、スピン機構28を介して噴出口25より噴霧する流路を備え、本体Ａに対してノズルＢを前後動可能に且つ少なくとも前後所定離間位置でそれぞれ係止可能に構成し、ノズルＢの本体Ａに対する相対前後位置の相違により、蓄圧弁体Ｅの前方付勢力を変化させることで蓄圧弁体Ｅの蓄圧弁座33への圧接力を変化させ、以て霧の粒径を変化させる切替機構を設けたことを特徴とするトリガー式噴霧器。
【請求項２】
上記ノズルＢは、本体Ａの射出筒10先端部より突設した支持筒13外周に回動筒20を螺動可能に嵌合させて本体Ａに対して前後動可能に装着し、上記蓄圧弁は、ノズルＢに設けた蓄圧弁座33に弁板53を圧接する蓄圧弁体Ｅを、本体Ａとの間に介在させたコイルスプリングｓにより常時前方へ付勢させてなる請求項１に記載のトリガー式噴霧器。
【請求項３】
支持筒13外周に先端部に係止凸部16を設けた螺条17を周設し、回動筒20内周に螺条17に螺合する螺条片37を設けて、螺条片37の係止凸部16による係止により、ノズルＢの前方所定位置での係止が可能に構成した請求項２に記載のトリガー式噴霧器。
【請求項４】
本体Ａに対してノズルＢを前方移動位置での漸次の係止が可能に構成した請求項１乃至請求項３のいずれか一項に記載のトリガー式噴霧器。
【請求項５】
回動筒20の内面に周方向多数の弾性突片39を突設するとともに、支持筒13の外面に各弾性突片39と常時乗り越え係合する弾性突片18を周方向多数突設して、本体Ａに対してノズルＢを前方移動位置での漸次の係止が可能に構成した請求項４に記載のトリガー式噴霧器。
【請求項６】
本体Ａの射出筒10先端の先端壁11より小径シリンダ12を突設するとともに、小径シリンダ12外方より支持筒13を突設し、ノズルＢは、支持筒13外周に螺着した回動筒20を前壁21より後方へ延設するとともに、支持筒13内周に回動可能に嵌合させた大径シリンダ32を前壁21より後方へ延設し、大径シリンダ32中央より内面に蓄圧弁座33を設けた弁座筒31を延設してなり、上記蓄圧弁体Ｅは、大径シリンダ32を摺動する大径摺動部50と、小径シリンダ12を摺動する小径摺動部51と、蓄圧弁座33に圧接する弁板53とを備え、大径摺動部50と小径摺動部51との径差による一定圧で開弁する如く構成した請求項１乃至請求項５のいずれか一項に記載のトリガー式噴霧器。
【発明の詳細な説明】
【技術分野】
【０００１】
本発明はトリガー式噴霧器に関し、詳しくは簡単な操作を行うことで噴霧する霧の粒径を変更することができるトリガー式噴霧器に関する。
【背景技術】
【０００２】
トリガー式噴霧器として、揺動可能に設けたトリガーを引くことで内蔵ポンプ機構の作用で先端のノズルから液を噴霧するものが知られている。（例えば、特許文献１参照）
【０００３】
上記トリガー式噴霧器は、ノズル内にポンプ内と連通する蓄圧弁を備え、一定圧以上になると蓄圧弁が開放され、その下流の噴出口近傍に設けたスピン機構を介して液を噴出させることで噴出口より霧状に液を噴出している。
【先行技術文献】
【特許文献】
【０００４】
【特許文献１】特開２００６−２０４９８９号
【発明の概要】
【発明が解決しようとする課題】
【０００５】
これらのトリガー式噴霧器において、用途によって霧の粒径が大きいものが相応しい場合もあり、また、小さい粒径が相応しいものもあり、従来はそれらの用途に相応した粒径の霧を噴霧するトリガー式噴霧器をそれぞれ用意していた。
【０００６】
本発明は上記点に鑑みてなされたもので、簡単な操作で霧の粒径を変化させることができ、しかも噴霧器先端のノズル部分のごく一部の改良により目的を達成でき、製造上のコストの増加も極めて少なくてすむトリガー式噴霧器を提案する。
【課題を解決するための手段】
【０００７】
第１の手段として、以下の通り構成した。即ち、トリガーＤ操作により容器体内の液を先端のノズルより噴霧する如く構成したトリガー式噴霧器であって、本体Ａ内より蓄圧弁を介してノズルＢの噴出口25の裏面位置周囲に配置されたスピン機構28に至り、スピン機構28を介して噴出口25より噴霧する流路を備え、本体Ａに対してノズルＢを前後動可能に且つ少なくとも前後所定離間位置でそれぞれ係止可能に構成し、ノズルＢの本体Ａに対する相対前後位置の相違により、蓄圧弁体Ｅの前方付勢力を変化させることで蓄圧弁体Ｅの蓄圧弁座33への圧接力を変化させ、以て霧の粒径を変化させる切替機構を設けた。
【０００８】
第２の手段として、以下の通り構成した。即ち，前記第１の手段に於いて、上記ノズルＢは、本体Ａの射出筒10先端部より突設した支持筒13外周に回動筒20を螺動可能に嵌合させて本体Ａに対して前後動可能に装着し、上記蓄圧弁は、ノズルＢに設けた蓄圧弁座33に弁板53を圧接する蓄圧弁体Ｅを、本体Ａとの間に介在させたコイルスプリングｓにより常時前方へ付勢させてなる。
【０００９】
第３の手段として、以下の通り構成した。即ち、前記第２の手段に於いて、支持筒13外周に先端部に係止凸部16を設けた螺条17を周設し、回動筒20内周に螺条17に螺合する螺条片37を設けて、螺条片37の係止凸部16による係止により、ノズルＢの前方所定位置での係止が可能に構成した。
【００１０】
第４の手段として、以下の通り構成した。即ち、前記第１の手段乃至第３の手段のいずれか一つの手段に於いて、本体Ａに対してノズルＢを前方移動位置での漸次の係止が可能に構成した。
【００１１】
第５の手段として、以下の通り構成した。即ち、前記第４の手段に於いて、回動筒20の内面に周方向多数の弾性突片39を突設するとともに、支持筒13の外面に各弾性突片39と常時乗り越え係合する弾性突片18を周方向多数突設して、本体Ａに対してノズルＢを前方移動位置での漸次の係止が可能に構成した。
【００１２】
第６の手段として、以下の通り構成した。即ち、前記第１の手段乃至第５の手段のいずれか一つの手段に於いて、本体Ａの射出筒10先端の先端壁11より小径シリンダ12を突設するとともに、小径シリンダ12外方より支持筒13を突設し、ノズルＢは、支持筒13外周に螺着した回動筒20を前壁21より後方へ延設するとともに、支持筒13内周に回動可能に嵌合させた大径シリンダ32を前壁21より後方へ延設し、大径シリンダ32中央より内面に蓄圧弁座33を設けた弁座筒31を延設してなり、上記蓄圧弁体Ｅは、大径シリンダ32を摺動する大径摺動部50と、小径シリンダ12を摺動する小径摺動部51と、蓄圧弁座33に圧接する弁板53とを備え、大径摺動部50と小径摺動部51との径差による一定圧で開弁する如く構成した。
【発明の効果】
【００１３】
本発明によれば、例えば、ノズルＢの本体Ａに対する近接位置では蓄圧弁体Ｅの前方付勢力が大きく蓄圧弁座33への圧接力が大きいため、相対的に小さい粒径の霧の噴霧が可能であり、また、ノズルＢを本体Ａから離間した位置に係止することで、蓄圧弁圧Ｂの前方付勢力が小さくなり、蓄圧弁座33への圧接力が小さくなるため、相対的に粒径の大きい霧の噴霧が可能となり、これらの切り替えを本体Ａに対してノズルＢを前後動させるという極めて簡単な操作で行える。
【００１４】
また、上記ノズルＢは、本体Ａの射出筒10先端部より突設した支持筒13外周に回動筒20を螺動可能に嵌合させて本体Ａに対して前後動可能に装着し、上記蓄圧弁は、ノズルＢに設けた蓄圧弁座33に弁板53を圧接する蓄圧弁体Ｅを、本体Ａとの間に介在させたコイルスプリングｓにより常時前方へ付勢させてなる場合には、ノズルＢを本体Ａに螺動させるという極めて簡単な操作で、ノズルＢを本体Ａに対して前後動させることができ、取り扱いが極めて容易である。
【００１５】
更に、支持筒13外周に先端部に係止凸部16を設けた螺条17を周設し、回動筒20内周に螺条17に螺合する螺条片37を設けて、螺条片37の係止凸部16による係止により、ノズルＢの前方所定位置での係止が可能に構成した場合には、螺合による摩擦力等で本体Ａに対するノズルＢの抜け出しを確実に防止できる利点がある。
【００１６】
また、本体Ａに対してノズルＢを前方移動位置での漸次の係止が可能に構成した場合には、霧の粒径を本体Ａに対するノズルＢの前方移動位置により漸次変化させることができる利点を兼ね備えている。
【００１７】
回動筒20の内面に周方向多数の弾性突片39を突設するとともに、支持筒13の外面に各弾性突片39と常時乗り越え係合する弾性突片18を周方向多数突設して、本体Ａに対してノズルＢを前方移動位置での漸次の係止が可能に構成した場合には、本体Ａに対しノズルＢを螺動させるという簡単な操作で、霧の粒径を本体Ａに対するノズルＢの前方移動位置により変化させることができる。
【００１８】
本体Ａの射出筒10先端の先端壁11より小径シリンダ12を突設するとともに、小径シリンダ12外方より支持筒13を突設し、ノズルＢは、支持筒13外周に螺着した回動筒20を前壁21より後方へ延設するとともに、支持筒13内周に回動可能に嵌合させた大径シリンダ32を前壁21より後方へ延設し、大径シリンダ32中央より内面に蓄圧弁座33を設けた弁座筒31を延設してなり、上記蓄圧弁体Ｅは、大径シリンダ32を摺動する大径摺動部50と、小径シリンダ12を摺動する小径摺動部51と、蓄圧弁座33に圧接する弁板53とを備え、大径摺動部50と小径摺動部51との径差による一定圧で開弁する如く構成した場合には、構造がシンプルで、組み付け操作も容易である。
【図面の簡単な説明】
【００１９】
【図１】トリガー式噴霧器の一部切欠側面図である。（実施例１）
【図２】ノズル部分の拡大断面図である。（実施例１）
【図３】スピン機構部分の背面図である。（実施例１）
【図４】螺条部分を説明する要部説明図である。（実施例１）
【図５】ノズル位置切替状態のノズル部分の拡大断面図である。（実施例１）
【図６】摺動凹溝部分を説明する要部説明図である。（実施例２）
【発明を実施するための形態】
【００２０】
以下、本発明の実施例の形態を図面を参照して説明する。
【００２１】
図１は本発明トリガー式噴霧器の一例を示し、トリガー式噴霧器１は、本体Ａの先端にノズルＢを備えている。また、容器体口頸部（図示せず）に嵌合させる装着筒Ｃにより容器体に装着し、本体Ａより揺動可能に垂設したトリガーＤを引くことで、内臓ポンプ機構（図示せず）の作用で先端のノズルＢより噴出する如く構成している。内蔵ポンプ機構等は従来のこの種のトリガー式噴霧器に使用されるている機構を採用できる。
【００２２】
本発明において、ノズルＢは、図２に拡大図で示す如く、本体Ａの流路を形成する射出筒10の先端に回動可能に嵌合させており、その内部には蓄圧弁体Ｅを内蔵している。
【００２３】
射出筒10は先端の先端壁11の前面に小径シリンダ12を突設し、その外方に大径の支持筒13を突設している。小径シリンダ12内には中央部が棒状に突出したコイルスプリング係止用の突部14を突設し、先端壁11からこのコイルスプリング係止用の突部14を貫通する流路孔15を穿設している。
【００２４】
ノズルＢは、支持筒13外周に螺動可能に嵌合させた回動筒20を備え、回動筒20前端の前壁21の周縁より外周壁22を延設している。また、前壁21の中央部に噴出口筒部23を突設しており、噴出口筒部23の中央部にはノズルチップを嵌合させるためのノズルチップ嵌合用突部24を突設している。ノズルチップ嵌合用突部24外面に嵌合させるノズルチップ38は、噴出口25を穿設した噴出口壁26の周縁より周壁27を延設し、噴出口壁26裏面の噴出口25周縁部にはスピン機構28を刻設している。スピン機構28は、図３に拡大図で示す如く、噴出口25の裏面周囲に湾曲した放射状凹部29を凹設している公知形態のもので、ここを液が通過して噴出口より噴出された際に霧状に噴出されるように構成されている。この様に構成されたノズルチップ38は噴出口筒部23とノズルチップ嵌合用突部24との間にその周壁27を密嵌させて装着させている。尚、後述弁座筒31内に一端を開口して前壁21を貫通し、ノズルチップ嵌合用突部24の側面に沿ってその先端に開口する透孔及び凹溝を連設した流通路30を設けている。
【００２５】
また、前壁21の中央裏面より後方へ弁座筒31を延設し、また、その外方に支持筒13内面に回動可能に嵌合させた大径シリンダ32を延設している。弁座筒31の内面には蓄圧弁座33を備え、後端部内面に突設した係止突条部分を含めた蓄圧弁座33後方位置には切欠34を穿設している。また、前壁21の両側に突設した一対の側壁35間に開閉蓋板36を回動可能に枢着している。
【００２６】
蓄圧弁体Ｅは、大径シリンダ32内周を摺動する大径摺動部50と小径シリンダ12内周を摺動する小径摺動部51を、前後に連設した環状基部52を備え、また、蓄圧弁座33に圧接する弁板53を備え、環状基部52と弁板53とを周方向複数の連結板54により一体に連結して構成している。また、弁板53とコイルスプリング係止用の突部14との間にコイルスプリングｓを介在させて常時蓄圧弁座33に弁板53を圧接してここに蓄圧弁を構成している。そして、本体Ａ内より蓄圧弁を介してノズルＢの噴出口25の裏面位置周囲に配置されたスピン機構28に至り、スピン機構28を介して噴出口25より噴霧する流路を備えている。
【００２７】
本願発明では、霧の粒径を変化させることができる切替機構を備えている。この切替機構は、本体Ａに対してノズルＢを前後動可能に且つ少なくとも前後所定離間位置でそれぞれ係止可能に構成し、ノズルＢの本体Ａに対する相対前後位置の相違により、蓄圧弁体Ｅの前方付勢力を変化させることで蓄圧弁体Ｅの蓄圧弁座33への圧接力を変化させ、以て霧の粒径を変化させる如く構成したものである。
【００２８】
図示例において切替機構は、支持筒13外周に図４に示す如き一端に係止凸部16を備えた螺条17を設けており、回動筒20内周に設けた螺条片37を螺合させている。そして、ノズルＢが本体Ａに対して一番接近した図２の状態から、螺条片37が係止凸部16に当接した、本体Ａに対してノズルＢが一番離れた図５の状態までを、本体Ａに対してノズルＢが前後動可能に構成している。図２の場合と図５の場合の距離の差ｄは、必要に応じて霧の粒径を設定する上で適宜選択すれば良い。
【００２９】
尚、ノズルＢの本体Ａに対する相対位置におけるそれぞれの係止手段は限られず種々選択できるが、例えば、螺条17と螺条片37との摩擦力で、ノズルＢは螺動途中でも漸次係止される如く構成している。本例では、回動筒20の内面に周方向多数の弾性突片39を突設するとともに、支持筒13の外面に各弾性突片39と常時乗り越え係合する弾性突片18を周方向多数突設して、本体Ａに対してノズルＢを前方移動位置での漸次の係止が可能に構成しており、上記螺条17と螺条片37との摩擦力に加えてこられの弾性突片39と弾性突片18の係止により、更に確実にノズルＢの任意移動位置での係止を可能に構成している。
【００３０】
また、図２の状態では、コイルスプリングｓは圧縮強度が大となり、その結果、蓄圧弁体Ｅの弁板53の蓄圧弁座33への圧接強度が相対的に大きく、また、図５の状態では、コイルスプリングｓは延びた状態となるため、圧縮強度が相対的に小となり、その結果、蓄圧弁体Ｅの弁板53の蓄圧弁座33への圧縮強度が小さくなる。結論として、図２の状態では相対的に小径の粒径を備えた霧が噴霧され、図５の状態では、相対的に大径の粒径が大きい霧が噴霧される。
【００３１】
上記の如く構成したトリガー式噴霧器１を使用する場合について説明する。図１の状態からトリガーＤを引くと、内臓ポンプ機構の作用で射出筒10先端から小径シリンダ12及び大径シリンダ32内に液が導入され、ここで、大径摺動部50と小径摺動部51との径差で生じる圧力により蓄圧弁体Ｅが上流側に押圧され、コイルスプリングｓの付勢力に抗して蓄圧弁が開き、加圧液がその下流に導入される。
【００３２】
その際、図２に示す如く、ノズルＢが本体Ａに対して一番接近している状態では、上記した如く弁板53の蓄圧弁座33への圧接力が大きく、圧力の大きい流れとして蓄圧弁を開き、流通路30からスピン機構28を介して噴出口25より霧として噴霧される。この際に霧は相対的に細かい粒径をなしている。
【００３３】
次に、図２の状態からノズルＢを螺動させて図５の状態に、本体Ａに対して相対的に前進させた後、再びトリガーＤを引いて液の噴出を行えば、弁板53の蓄圧弁座33への圧接力が小さく、圧力の相対的に小さい流れとして蓄圧弁を開き、加圧液は同様の経路を介して噴出口25より噴霧される。この場合は霧の粒径が相対的に大きくなる。
【００３４】
尚、上記した例では、本体Ａに対してノズルＢを螺動可能に装着して、本体Ａに対してノズルＢを前後動可能に且つ少なくとも前後所定離間位置でそれぞれ係止可能に装着した例を示したが、これに限らず、本体Ａに対してノズルＢを引き出すことで前後動可能に且つ少なくとも前後所定離間位置でそれぞれ係止可能に構成してもよい。
【００３５】
例えば、図１の例に於いて、支持筒13外周の螺条17に代えて、前後両端に周方向へ突設する鉤形の前部係止部19a 及び後部係止部19b を備えた前後に走る摺動凹溝19を凹設し、一方回動筒20の螺条片37に代えて、摺動凹溝19内を摺動する摺動突起を回動筒20より突設する。そして、本体Ａ側の後部係止部19b に摺動突起がある場合には、上記した如く、圧力の大きい流れとして蓄圧弁を開き、相対的に細かい粒径の霧として噴霧される。
【００３６】
また、その状態からノズルＢを回動させて後部係止部19b から摺動凹溝19に移行させた後前方へ引き出せば、摺動突起は摺動凹部19を前方へ移動し、次いで先端位置で回動させることで前部係止部19a に摺動突起を係合させることで、ノズルＡを本体Ｂから離間した前方所定位置に係止することができる。この状態から再びトリガーを引いて液の噴出を行えば、上記した如く、圧力の相対的に小さい流れとして蓄圧弁を開き、相対的に粒径の大きな霧として噴霧される。
【符号の説明】
【００３７】
１…トリガー式噴霧器
Ａ…本体
10…射出筒，11…先端壁，12…小径シリンダ，13…支持筒，
14…コイルスプリング係止用の突部，15…流路孔，16…係止凸部，17…螺条
18…弾性突片，19…摺動凹溝，19a …前部係止部，19b …後部係止部
Ｂ…ノズル
20…回動筒，21…前壁，22…外周壁，23…噴出口筒部，24…噴出口，25…噴出口，      26…噴出口壁，27…周壁，28…スピン機構，29…放射状凹部，30…流通路，
31…弁座筒，32…大径シリンダ，33…蓄圧弁座，34…切欠，35…側壁，
36…開閉蓋部，37…螺条片，38…ノズルチップ，39…弾性突片
Ｃ…装着筒
Ｄ…トリガー
Ｅ…蓄圧弁体
50…大径摺動部，51…小径摺動部，52…環状基部，53…弁板，54…連結板
ｓ…コイルスプリング
【図１】
0005435571.tif 000002
【図２】
0005435571.tif 000003
【図３】
0005435571.tif 000004
【図４】
0005435571.tif 000005
【図５】
0005435571.tif 000006
【図６】
0005435571.tif 000007